(57)【要約】【課題】インクジェットプリンターのハウジングの内部に配設されたインクチューブに、ハウジングの外側から外力が加わると、インクチューブの接続部で外れたり、インクチューブが往復移動するキャリッジに当接するという課題がある。【解決手段】ハウジング２の側壁９に設けられ、インクチューブ１３のインクタンク１１側の部分をハウジング２の外部に通すチューブ用切り欠き部５３と、チューブ用切り欠き部５３を開閉自在なカバー７１と、を備え、カバー７１には、突出部としてのリブ７１０が設けられており、チューブ用切り欠き部５３を閉めた場合、リブ７１０によってガイド部材４５の移動を規制する。【選択図】図５
2014040031.tif 000002
【特許請求の範囲】
【請求項１】
インクを吐出する記録ヘッドを備えたキャリッジに着脱可能に備えられ、前記記録ヘッドと連通するアダプターと、
前記キャリッジを収容し、装置外郭を成すハウジングと、
前記ハウジングの外側に備えられるインクタンクと、
前記アダプターと前記インクタンクとを連通するインクチューブと、
前記ハウジングの内部に備えられ、前記インクチューブを配設するガイド部材と、
前記ハウジングの側壁に設けられ、前記インクチューブの前記インクタンク側の部分を該ハウジングの外部に通すチューブ用切り欠き部と、
前記チューブ用切り欠き部を開閉自在なカバーと、を備え、
前記カバーは、前記チューブ用切り欠き部を閉めた場合、前記ガイド部材の移動を規制することを特徴とする記録装置。
【請求項２】
請求項１に記載の記録装置であって、
前記カバーは、突出する突出部を有し、前記突出部は、前記ガイド部材の移動を規制することを特徴とする記録装置。
【請求項３】
請求項２に記載の記録装置であって、
前記突出部は、前記カバーの壁部の内側の面に沿って延設することを特徴とする記録装置。
【請求項４】
請求項２に記載の記録装置であって、
前記突出部は、柱状であることを特徴とする記録装置。
【請求項５】
請求項２に記載の記録装置であって、
前記突出部は、前記カバーから内側に突出する第１の突出部と、前記第１の突出部から前記ガイド部材側に突出する第２の突出部とを有することを特徴とする記録装置。
【請求項６】
請求項３に記載の記録装置であって、
前記突出部が延設する方向は、前記壁部の上端部から前記ガイド部材に向かう方向であることを特徴とする記録装置。
【請求項７】
請求項３に記載の記録装置であって、
前記突出部が延設する方向は、前記壁部の上端部から前記ガイド部材に向かう方向と交わる方向であることを特徴とする記録装置。
【発明の詳細な説明】
【技術分野】
【０００１】
本発明は、記録装置に関する。
【背景技術】
【０００２】
記録装置としてのインクジェットプリンターは、記録ヘッドからインクを噴射して用紙などの記録媒体に文字や画像を記録する。記録ヘッドから噴射されるインクは、記録ヘッドを備えて往復移動するキャリッジに搭載されたインクカートリッジやキャリッジの外側で筐体内に備えられたインクカートリッジから供給される。
オフィス向けまたは業務用に提供されるインクジェットプリンターでは、比較的大量の印刷に対応させるために、大容量のインクカートリッジを配置する必要性が生じている。そこで、例えば特許文献１では、筐体の外に配置されたインクタンクからインクチューブによって記録ヘッドにインクを供給する。このようなインクジェットプリンターでは、ハウジングに貫通部を設け、この貫通部を一端がインクタンクに接続されたインクチューブが通り、キャリッジに備えられた記録ヘッドと連通する。
【先行技術文献】
【特許文献】
【０００３】
【特許文献１】特開２００５−１２８４号公報
【発明の概要】
【発明が解決しようとする課題】
【０００４】
ハウジングの内部には、インクチューブを配設するガイド部材が固定される。しかしながら、ハウジングの内部に配設されたインクチューブに、ハウジングの外側から外力が加わると、ガイド部材の位置が移動したり、ガイド部材が外れることがある。そのため、ガイド部材より内側の位置でインクチューブを接続する接続部が外れてしまうという課題がある。
【課題を解決するための手段】
【０００５】
本発明は、上述の課題の少なくとも一部を解決するためになされたものであり、以下の形態または適用例として実現することが可能である。
【０００６】
［適用例１］インクを吐出する記録ヘッドを備えたキャリッジに着脱可能に備えられ、前記記録ヘッドと連通するアダプターと、前記キャリッジを収容し、装置外郭を成すハウジングと、前記ハウジングの外側に備えられるインクタンクと、前記アダプターと前記インクタンクとを連通するインクチューブと、前記ハウジングの内部に備えられ、前記インクチューブを配設するガイド部材と、前記ハウジングの側壁に設けられ、前記インクチューブの前記インクタンク側の部分を該ハウジングの外部に通すチューブ用切り欠き部と、前記チューブ用切り欠き部を開閉自在なカバーと、を備え、前記カバーは、前記チューブ用切り欠き部を閉めた場合、前記ガイド部材の移動を規制することを特徴とする記録装置。
【０００７】
本適用例によれば、チューブ用切り欠き部を開閉自在なカバーを備え、前記カバーは、チューブ用切り欠き部を閉めた場合、ガイド部材の移動を規制する。これにより、インクチューブに、ハウジングの外側から外力が加わったとき、ガイド部材が移動することを抑制できる。そのため、インクチューブの接続部が外れてしまうことを抑制できる。
【０００８】
［適用例２］前記カバーは、突出する突出部を有し、前記突出部は、前記ガイド部材の移動を規制することを特徴とする上記記録装置。
【０００９】
本適用例によれば、カバーは、チューブ用切り欠き部に装着された状態において、カバーからハウジングの内側に突出する突出部を有し、突出部は、ガイド部材の移動を規制する。
【００１０】
［適用例３］前記突出部は、前記カバーの壁部の内側の面に沿って延設することを特徴とする上記記録装置。
【００１１】
本適用例によれば、突出部が破損することを抑制できる。また、カバーの剛性を強化できる。
【００１２】
［適用例４］前記突出部は、柱状であることを特徴とする上記記録装置。
【００１３】
本適用例によれば、カバーから離れた位置にあるガイド部材の移動を規制できる。
【００１４】
［適用例５］前記突出部は、前記カバーから内側に突出する第１の突出部と、前記第１の突出部から前記ガイド部材側に突出する第２の突出部とを有することを特徴とする上記記録装置。
【００１５】
本適用例によれば、第１の突出部からガイド部材に向かう方向において離れた位置にあるガイド部材の移動を規制できる。
【００１６】
［適用例６］前記突出部が延設する方向は、前記壁部の上端部から前記ガイド部材に向かう方向であることを特徴とする上記記録装置。
【００１７】
本適用例によれば、ガイド部材が突出部に当接し、ガイド部材が突出部を押圧する方向と同じなので、突出部が破損することを抑制できる。
【００１８】
［適用例７］前記突出部が延設する方向は、前記壁部の上端部から前記ガイド部材に向かう方向と交わる方向であることを特徴とする上記記録装置。
【００１９】
本適用例によれば、ガイド部材が、突出部が延設する方向に移動しても、突出部がガイド部材に当接可能な位置にあるので、突出部によってガイド部材の移動を規制できる。
【図面の簡単な説明】
【００２０】
【図１】記録装置の外観斜視図。
【図２】スキャナーを取り除いた状態における記録装置の外観斜視図。
【図３】インク供給ユニットを示す斜視図。
【図４】（ａ）は、ガイド部材の斜視図、（ｂ）は、ガイド部材にインクチューブを配設した図。
【図５】インクチューブが、ガイド部材からチューブ用切り欠き部まで配設された部分を示す斜視図。
【図６】カバーの斜視図。
【図７】チューブ用切り欠き部が設けられた部分をハウジングの内側から見た図。
【図８】チューブ用切り欠き部にカバーを装着した部分をハウジングの内側から見た図。
【図９】実施形態２におけるカバーの斜視図。
【図１０】実施形態３におけるカバーの斜視図。
【図１１】実施形態４におけるカバーの斜視図。
【図１２】（ａ）は、実施形態５におけるガイド部材の斜視図、（ｂ）は、ガイド部材にインクチューブを配設した図。
【発明を実施するための形態】
【００２１】
（実施形態１）
以下、本発明の実施形態について、図面を参照して説明する。図１は、本実施形態における記録装置の一例であるインクジェットプリンター（以降は、「プリンター」という）１を正面上側から見た外観斜視図である。尚、以降の「上側」、「上部」、「上方」、「上端」の記載は、鉛直方向Ｄ３における方向をいう。
【００２２】
プリンター１は、筐体の外郭を成すハウジング２の上方にスキャナー１５を搭載した複合型の記録装置である。プリンター１は、上部にスキャナー１５を回動自在に配置すると共に、スキャナー１５の背面側に被記録媒体としての用紙Ｐを給紙するための給紙口１７が設けられている。
【００２３】
ハウジング２の正面側には、記録実行後の用紙Ｐを搬送方向Ｄ１に排紙するための排紙口１９が設けられている。排紙口１９の上方には操作パネル２１が設けられており、プリンター１の各種の操作がこの操作パネル２１を使用することによって実行できるように構成されている。
【００２４】
図２は、スキャナー１５を取り除いた状態におけるプリンター１を正面上側から見た斜視図である。ハウジング２の内部には、インクを吐出する記録ヘッド５を備えたキャリッジ７が備えられる。
【００２５】
プリンター１は、図示しないガイド部材などによって構成されるガイド機構、図示しない、モーター、ベルトなどによって構成される駆動機構を備え、キャリッジ７は、ガイド機構によって移動方向Ｄ２に案内されて、駆動機構によって往復移動する。
【００２６】
プリンター１は、図示しない給紙ローラーなどによって構成される給紙機構を背面側に備え、この給紙機構によって給紙口１７に挿入された用紙Ｐを一枚ずつ搬送経路に導く。また、プリンター１は、図示しない、一対のニップローラーによって構成される搬送用ローラーと、一対のニップローラーによって構成される排出用ローラーとを備え、搬送用ローラーは、搬送経路に導かれた用紙Ｐを挟持して記録実行領域２３に向けて搬送方向Ｄ１に搬送し、排出用ローラーは、記録が実行された用紙Ｐを搬送方向Ｄ１に搬送し、排紙口１９からハウジング２の外部に排紙する。
【００２７】
プリンター１は、ハウジング２とは別体のインクタンク１１を備える。インクタンク１１は、上部側面４７が、ハウジング２のインクタンク１１側の側壁９に沿った状態で備えられる。
【００２８】
インクタンク１１のハウジング２側の上端部には、一対の係合フック４９が設けられる。ハウジング２のインクタンク１１側の側壁９の上端部１２には、係合フック４９と係合可能な一対の係合穴５１が設けられる。これにより、インクタンク１１は、側壁９に着脱可能に装着される。
【００２９】
アダプター２７は、キャリッジ７に着脱可能に装着される。アダプター２７がキャリッジ７に装着された状態において、アダプター２７と記録ヘッド５とは連通することができる。
【００３０】
インクチューブ１３は、一端がアダプター２７に接続され、他端がインクタンク１１に接続され、アダプター２７は、インクチューブ１３によって、インクタンク１１と連通する。インクタンク１１に貯留されたインクは、インクチューブ１３、アダプター２７を介して記録ヘッド５に供給される。
【００３１】
支持部材３３は、排紙口１９の上方に移動方向Ｄ２に延設される。インクチューブ１３は、第１のインクチューブ１３ａと第２のインクチューブ１３ｂとから構成される。第１のインクチューブ１３ａの一端はアダプター２７と接続され、第１のインクチューブ１３ａは、アダプター２７から図面左側に延び、下方にＵ字状に反転し、支持部材３３に沿って図面右側に延び、固定部材３５とネジ３７とによって固定されるまでのＵ字状反転部３１を形成する。
【００３２】
インクチューブ１３は、可撓性を有する。そのため、第１のインクチューブ１３ａの一端がキャリッジ７に装着されたアダプター２７に接続され、第１のインクチューブ１３ａの他端が支持部材３３上に固定されているので、キャリッジ７の往復移動に伴って、Ｕ字状反転部３１は、追従変形する。
【００３３】
第１のインクチューブ１３ａと第２のインクチューブ１３ｂとは、継手３９によって接続される。継手３９は、移動方向Ｄ２における両側に突出し、連通するプラグ４１とプラグ４３とが設けられている。第１のインクチューブ１３ａ、第２のインクチューブ１３ｂは、プラグ４１，４３にそれぞれ一端が接続される。
【００３４】
ハウジング２の図面右側の側壁９には、チューブ用切り欠き部５３が設けられる。チューブ用切り欠き部５３を第２のインクチューブ１３ｂが通る状態で、チューブ用切り欠き部５３はカバー７１によって塞がれる。チューブ用切り欠き部５３の上端部１２側は開いており、チューブ用切り欠き部５３の上側は、カバー７１の天板部７１Ａが位置する。
【００３５】
チューブ用切り欠き部５３からカバー７１を取り外した状態では、第２のインクチューブ１３ｂの延びる方向と交差する方向すなわち上側に移動させれば、第２のインクチューブ１３ｂは、チューブ用切り欠き部５３を通る状態からチューブ用切り欠き部５３の外側に位置する状態になる。
【００３６】
支持部材３３のインクタンク１１側には、ガイド部材４５がハウジング２の内部に着脱可能に設けられ、第２のインクチューブ１３ｂは、ガイド部材４５によって延びる方向が変えられて配設される。
【００３７】
図３は、インク供給ユニット４を示す斜視図である。インク供給ユニット４は、インクタンク１１、インクチューブ１３、アダプター２７、継手３９、ガイド部材４５などによって構成される。インクチューブ１３は、イエロー、マゼンタ、シアン、モノクロのインクをそれぞれ供給する４本のインクチューブ１３Ｙ，１３Ｍ，１３Ｃ，１３Ｋによって構成される。
【００３８】
インク供給ユニット４がハウジング２に取り付けられた図２の状態から、インクタンク１１をハウジング２の側壁９から取り外し、アダプター２７をキャリッジ７から取り外し、固定部材３５を支持部材３３から取り外し、ガイド部材４５を支持部材３３から取り外し、カバー７１をチューブ用切り欠き部５３から取り外すと、図３に示すように、インクタンク１１とアダプター２７とをインクチューブ１３によって接続した状態すなわち一体構造を維持した状態でインク供給ユニット４をハウジング２から取り外すことができる。
【００３９】
このような構成により、インクタンク１１とアダプター２７とをインクチューブ１３によって接続した状態の複数のインク供給ユニット４を用意し、インク供給ユニット４を他のインク供給ユニットと交換することができる。
【００４０】
そのため、第１のインクチューブ１３ａとアダプター２７との接続部や、第１のインクチューブ１３ａまたは第２のインクチューブ１３ｂとの継手３９の接続部や、第２のインクチューブ１３ｂとインクタンク１１の接続部２９などを分離してインク供給ユニット４をハウジング２から取り外す必要がない。従って、それらの接続部からインクが漏れることがない。
【００４１】
図４（ａ）は、ガイド部材４５の斜視図である。図４（ｂ）は、図４（ａ）の断面位置Ｎ−Ｎ´矢印方向から見たガイド部材４５に第２のインクチューブ１３ｂを配設した図である。図４（ｂ）の破線矢印は、図面左側から図面右側に向かって配設される第２のインクチューブ１３ｂの延びる方向（延在方向）を示す。
【００４２】
ガイド部材４５は、下側に湾曲する湾曲面４５２ａ，４５３ａがそれぞれ形成された壁部４５２，４５３を有する。また、ガイド部材４５は、壁部４５３と上端部４５７との間に貫通部４５６を形成する。
【００４３】
第２のインクチューブ１３ｂは、壁部４５２，４５３の下側の面に沿って配設される。そのため、湾曲面４５２ａ，４５３ａによって延在方向が変化する。さらに、第２のインクチューブ１３ｂが貫通部４５６を通り上端部４５７に当接することによって、延在方向が変化する。
【００４４】
これにより、第２のインクチューブ１３ｂにハウジング２の外側からの外力が内側方向Ｄ２０に作用したとき、貫通部４５６や上端部４５７の上方で第２のインクチューブ１３ｂの湾曲形状が変化したり、姿勢が変化することにより、第２のインクチューブ１３ｂにおいて貫通部４５６の位置より内側方向Ｄ２０に外力が及ぶことを抑制する。
【００４５】
反対に、第２のインクチューブ１３ｂにハウジング２の外側方向Ｄ２１に引き寄せられる外力が作用したとき、第２のインクチューブ１３ｂと湾曲面４５２ａ，４５３ａとの摩擦抵抗により、第２のインクチューブ１３ｂにおいて湾曲面４５２ａの位置より内側方向Ｄ２０に外力が及ぶことを抑制する。
【００４６】
すなわち、第２のインクチューブ１３ｂに対してハウジング２の外側から作用する外力を、ガイド部材４５によって遮断する効果があるので、ガイド部材４５より内側方向Ｄ２０にある第１のインクチューブ１３ａ、第２のインクチューブ１３ｂの移動を抑制できる。
【００４７】
図５は、第２のインクチューブ１３ｂが、ガイド部材４５からチューブ用切り欠き部５３まで配設された部分を示す斜視図である。係合部材４６は、一対のフック４６１を有し、ガイド部材４５が支持部材３３に対して上側に移動することを規制する。
【００４８】
また、係合部材４６は、突出部４６２を有し、突出部４６２はガイド部材４５に設けられた貫通孔４５４を貫通する。これにより、ガイド部材４５が係合部材４６に対して搬送方向Ｄ１における上流側または下流側に移動することを規制する。また、ガイド部材４５は、図４（ａ）の貫通孔４５５を通る図５のネジ４８によって支持部材３３に固定される。
【００４９】
ネジ４８を貫通孔４５５から抜き、一対のフック４６１を互いに遠ざける方向に移動し、突出部４６２を貫通孔４５４から抜くと、ガイド部材４５を支持部材３３から離脱することができる。このような構成により、ガイド部材４５は、係合部材４６とネジ４８とによって支持部材３３に着脱可能に装着される。
【００５０】
ガイド部材４５の外側方向Ｄ２１の側壁９には、チューブ用切り欠き部５３を塞ぐカバー７１が装着される。図６は、カバー７１の斜視図である。図７は、側壁９にチューブ用切り欠き部５３が設けられた部分をハウジングの内側から見た図である。図８は、チューブ用切り欠き部５３にカバー７１を装着した部分をハウジング２の内側から見た図である。
【００５１】
図７のチューブ用切り欠き部５３の上端部５３ａは、上側が開いた形状である。上端部５３ａの搬送方向Ｄ１の幅Ａは、第２のインクチューブ１３ｂが鉛直方向Ｄ３に移動可能な幅の長さを確保する。
【００５２】
本実施形態では、４本の第２のインクチューブ１３ｂが搬送方向Ｄ１に並んだ状態で鉛直方向Ｄ３に移動可能な幅Ａの長さを確保しているが、１本の第２のインクチューブ１３ｂが鉛直方向Ｄ３に移動可能な幅Ａの長さであってもよい。
【００５３】
図７のチューブ用切り欠き部５３の搬送方向Ｄ１下流側の壁部９０３は、図８のチューブ用切り欠き部５３に装着されたカバー７１より、ハウジングの内側方向Ｄ２０に位置するので、カバー７１がハウジングの内側方向Ｄ２０に移動することを規制する（図５参照）。
【００５４】
図７のチューブ用切り欠き部５３の搬送方向Ｄ１下流側の壁部９０４は、図８のチューブ用切り欠き部５３に装着されたカバー７１より、ハウジングの外側方向Ｄ２１に位置するので、カバー７１がハウジングの外側方向Ｄ２１に移動することを規制する。
【００５５】
図８のチューブ用切り欠き部５３にカバー７１が装着された状態において、チューブ用切り欠き部５３におけるカバー７１の下部（矢印の範囲Ｂ）に、貫通部Ｃが形成される。貫通部Ｃにおける壁面９０５，９０６は、側壁９の内側の面９ａに対して傾斜している。移動方向Ｄ２から見た貫通部Ｃにおける開口断面の面積は、側壁９の内側から外側に向かって小さくなる。
【００５６】
第２のインクチューブ１３ｂは、壁面９０５，９０６に沿って配設される。そのため、側壁９の内側から外側に向かって配設される第２のインクチューブ１３ｂは、壁面９０５，９０６によって延在方向を変え、カバー７１の下側に形成された開口部５３ｂを通る。
【００５７】
下側壁部７１Ｃには、上側壁部７１Ｂから下側に延びる一対のリブ７１１が形成される。これにより、上側壁部７１Ｂ、下側壁部７１Ｃの剛性を高めることができる。
【００５８】
上側壁部７１Ｂ、下側壁部７１Ｃには、ハウジングの内側方向（Ｄ２０）に突出し、カバー７１の上端部に設けられた天板部７１Ａから下側壁部７１Ｃの面に沿って下側に延びるリブ７１０が形成される。
【００５９】
図５に示すように、リブ７１０の下端部７１０ａは、ガイド部材４５に形成され、搬送方向Ｄ１上流側に突出する突出部４５１の上側に位置する。
【００６０】
下端部７１０ａと突出部４５１とは離れていてもよいし、当接してもよい。また、下端部７１０ａによって、突出部４５１を下側に押圧するように配設してもよい。このように、リブ７１０の下端部７１０ａによって、ガイド部材４５の上側への移動を規制することができるので、ガイド部材４５が、支持部材３３から上側に移動し、ガイド部材４５が、支持部材３３から離れたり、外れたりしてしまうことを抑制できる。
【００６１】
図６のカバー７１は、移動方向Ｄ２に延びる天板部７１Ａ、天板部７１Ａから下側に延びる上側壁部７１Ｂ、上側壁部７１Ｂから下側に延びる下側壁部７１Ｃを有する。天板部７１Ａには、フック７１２，７１３が設けられる。フック７１２，７１３は、図５、図８の側壁９に設けられた突出部９０１，９０２にそれぞれ係合する。図６のフック７１４は、側壁９に設けられた溝部（不図示）に係合する。
【００６２】
フック７１２とフック７１３の先端部を搬送方向Ｄ１において互いに近づける方向に傾けて、フック７１２，７１３を突出部９０１，９０２からそれぞれ離脱し、フック７１４を前記の溝部から離脱させ、カバー７１を上側にスライドさせると、カバー７１をチューブ用切り欠き部５３から離脱させることができる。
【００６３】
以上、説明した本実施形態の図２のプリンター１は、インクを吐出する記録ヘッド５を備えたキャリッジ７に着脱可能に備えられ、記録ヘッド５と連通するアダプター２７と、キャリッジ７を収容し、装置外郭を成すハウジング２と、ハウジング２の外側に備えられるインクタンク１１と、アダプター２７とインクタンク１１とを連通するインクチューブ１３と、ハウジング２の内部に備えられ、インクチューブ１３を配設するガイド部材４５と、ハウジング２の側壁９に設けられ、インクチューブ１３のインクタンク１１側の部分をハウジング２の外部に通すチューブ用切り欠き部５３と、チューブ用切り欠き部５３を開閉自在なカバー７１と、を備える。
【００６４】
そして、カバー７１には、突出部としてのリブ７１０が設けられており、チューブ用切り欠き部５３を閉めた場合、リブ７１０によってガイド部材４５の移動を規制する。
【００６５】
この構成によれば、第２のインクチューブ１３ｂに、ハウジング２の外側から外力が加わったとき、ガイド部材４５の位置が支持部材３３と反対側（上側）に移動したり、ガイド部材４５が支持部材３３から外れることを抑制できる。そのため、第２のインクチューブ１３ｂと継手３９の接続部で外れたり、第１のインクチューブ１３ａや第２のインクチューブ１３ｂが往復移動するキャリッジ７に当接することを抑制できる。
【００６６】
また、カバー７１がチューブ用切り欠き部５３に装着された状態において、カバー７１に形成された突出部としてのリブ７１０は、下側壁部７１Ｃの内側の面に沿って延設する。リブ７１０の延設する方向は、鉛直方向Ｄ３であり、すなわちカバー７１における天板部７１Ａが設けられた上端部からガイド部材４５に向かう方向である。
【００６７】
これによれば、ガイド部材４５を押圧する方向に長いので、リブ７１０が破損することを抑制できる。また、カバー７１の剛性を強化できる。
【００６８】
本実施形態では、ガイド部材４５を支持部材３３に着脱可能に備えたが、ハウジング２の内部に設けられた、支持部材３３と異なる部材にガイド部材４５を着脱可能に備え、第２のインクチューブ１３ｂを配設してもよい。
【００６９】
（実施形態２）
チューブ用切り欠き部５３の一部を塞ぐカバーに設ける突出部は柱状でもよい。図９は、実施形態２におけるカバー７２の斜視図である。カバー７２の下側壁部７１Ｃには、円柱状の突出部７２１が設けられる。
【００７０】
カバー７２がチューブ用切り欠き部５３に装着された状態において、突出部７２１の中心軸Ｓの方向は移動方向Ｄ２であり、突出部７２１はハウジング２の内側方向Ｄ２０に突出する。
【００７１】
実施形態１で説明したように、突出部７２１は、ガイド部材４５の突出部４５１（図５参照）の上側に配置され、ガイド部材４５の上側への移動を規制する。これにより、移動方向Ｄ２においてカバー７２から離れた位置にあるガイド部材４５の移動を規制できる。
【００７２】
本実施形態では、円柱状の突出部７２１をカバー７２に設けたが、角柱状の突出部を設けたカバーをチューブ用切り欠き部５３に装着してもよい。実施形態２におけるプリンターのその他の構成は、実施形態１のプリンター１の構成と同じである。
【００７３】
（実施形態３）
図１０は、実施形態３におけるカバー７３の斜視図である。カバー７３における下側壁部７１Ｃには、突出部７３１が設けられる。チューブ用切り欠き部５３にカバー７３を装着した状態において、突出部７３１は、下側壁部７１Ｃからハウジング２の内側方向Ｄ２０に突出する第１の突出部７３２と、第１の突出部７３２の先端部からガイド部材４５側（下側）に突出する第２の突出部７３３とを有する。
【００７４】
実施形態１で説明したように、突出部７３１は、ガイド部材４５の突出部４５１（図５参照）の上側に配置され、ガイド部材４５の上側への移動を規制する。これにより、第１の突出部７３２によって、移動方向Ｄ２においてカバー７３から離れた位置にあるガイド部材４５の移動を規制するとともに、さらに、第１の突出部７３２からガイド部材４５に向かう方向すなわち鉛直方向Ｄ３においてカバー７３から離れた位置にあるガイド部材４５の移動を規制できる。実施形態３におけるプリンターのその他の構成は、実施形態１のプリンター１の構成と同じである。
【００７５】
（実施形態４）
図１１は、実施形態４におけるカバー７４の斜視図である。実施形態１のカバー７１に設けられた突出部としてのリブ７１０は、鉛直方向Ｄ３に延びる形状であったが、搬送方向Ｄ１に延びる形状のリブを突出部としてカバーに設けてもよい。
【００７６】
カバー７４における下側壁部７１Ｃの内側の面には、ハウジング２の内側方向Ｄ２０に突出し、突出部としてのリブ７４１が搬送方向Ｄ１に延設される。すなわち、リブ７４１は、天板部７１Ａが設けられた上端部からガイド部材４５に向かう方向と交わる方向に延設する。
【００７７】
これにより、ガイド部材４５の搬送方向Ｄ１における位置が変動しても、リブ７４１は、ガイド部材４５の突出部４５１の上側に位置し、リブ７４１はガイド部材４５に当接可能となるので、ガイド部材４５の上側への移動を規制することができる。実施形態４におけるプリンターのその他の構成は、実施形態１のプリンター１の構成と同じである。
【００７８】
（実施形態５）
実施形態１における図４（ａ）のガイド部材４５は、図４（ｂ）の湾曲面４５２ａ，４５３ａを有したが、複数の柱状部材を並べて構成し、第２のインクチューブ１３ｂの延在方向を変えるようにしてもよい。
【００７９】
図１２（ａ）は、実施形態５におけるガイド部材１００の斜視図である。ガイド部材１００は、壁部１０５，１０６に両端が固定された複数の柱状部材１０１〜１０４を有する。
【００８０】
ガイド部材１００は、貫通孔１０６ａを通るネジ（不図示）と、壁部１０５，１０６に形成された凹状の被係合部１０５ｂ，１０６ｂに係合する係合部材（不図示）によって、図２の支持部材３３に固定される。
【００８１】
ガイド部材１００は、搬送方向Ｄ１上流側に突出する突出部１０５ａを有し、実施形態１で説明したように、カバー７１の突出部としてのリブ７１０の下端部７１０ａが突出部１０５ａの上側に位置することにより、ガイド部材１００が上側に移動することが規制される。
【００８２】
図１２（ｂ）は、図１２（ａ）の断面位置Ｍ−Ｍ´において矢印方向から見たガイド部材１００に第２のインクチューブ１３ｂを配設した図である。第２のインクチューブ１３ｂは、柱状部材１０１〜１０３の下側外周面に沿って配設され、柱状部材１０３と柱状部材１０４との間を通り配設される。そのため、破線矢印に示すように、第２のインクチューブ１３ｂの延在方向が変わる。
【００８３】
これにより、第２のインクチューブ１３ｂにハウジング２の外側からの外力が内側方向Ｄ２０に作用したとき、柱状部材１０３と柱状部材１０４との間や柱状部材１０４の上方で第２のインクチューブ１３ｂの湾曲形状が変化したり、姿勢が変化することにより、第２のインクチューブ１３ｂにおいて柱状部材１０３の位置より内側方向Ｄ２０に外力が及ぶことを抑制する。
【００８４】
反対に、第２のインクチューブ１３ｂにハウジング２の外側方向Ｄ２１に引き寄せられる外力が作用したとき、第２のインクチューブ１３ｂと柱状部材１０１〜１０４との摩擦抵抗により、第２のインクチューブ１３ｂにおいて柱状部材１０１の位置より内側方向Ｄ２０に外力が及ぶことを抑制する。
【００８５】
すなわち、第２のインクチューブ１３ｂに対してハウジング２の外側から作用する外力を、ガイド部材１００によって遮断する効果があるので、ガイド部材１００より内側方向Ｄ２０にある第１のインクチューブ１３ａ、第２のインクチューブ１３ｂの移動を抑制できる。実施形態５におけるプリンターのその他の構成は、実施形態１のプリンター１の構成と同じである。
【００８６】
実施形態１〜実施形態４で説明したカバー７１，７２，７３，７４は、上下方向にスライドすることにより、側壁９に設けられたチューブ用切り欠き部５３に着脱したが、搬送方向Ｄ１にスライドすることにより、側壁９に設けられたチューブ用切り欠き部に着脱する構成でもよい。また、カバーの一端側に回動軸を設け、カバーを回動することより、側壁９に設けられたチューブ用切り欠き部に着脱する構成でもよい。
【符号の説明】
【００８７】
１…プリンター、２…ハウジング、５…記録ヘッド、７…キャリッジ、９…側壁、９ａ…内側の面、１１…インクタンク、１３，１３Ｙ，１３Ｍ，１３Ｃ，１３Ｋ…インクチューブ、１３ａ…第１のインクチューブ、１３ｂ…第２のインクチューブ、２７…アダプター、３３…支持部材、４５，１００…ガイド部材、５３…チューブ用切り欠き部、５３ｂ…開口部、５３ａ…上端部、７１，７２，７３，７４…カバー、７１Ａ…天板部、７１Ｂ…上側壁部、７１Ｃ…下側壁部、１０１〜１０４…柱状部材、１０５，１０６…壁部、１０５ｂ，１０６ｂ…被係合部、１０６ａ…貫通孔、４５０…突出部、４５２，４５３，４５７…壁部、４５２ａ，４５３ａ…湾曲面、４５４…貫通孔、４５５…貫通孔、４５６…貫通部、７１０，７１１，７４１…リブ、７１０ａ…下端部、７１２，７１３，７１４…フック、７２１，７３１…突出部、７３２…第１の突出部、７３３…第２の突出部、Ｄ２…移動方向、Ｓ…中心軸。
【図１】
2014040031.tif 000003
【図２】
2014040031.tif 000004
【図３】
2014040031.tif 000005
【図４】
2014040031.tif 000006
【図５】
2014040031.tif 000007
【図６】
2014040031.tif 000008
【図７】
2014040031.tif 000009
【図８】
2014040031.tif 000010
【図９】
2014040031.tif 000011
【図１０】
2014040031.tif 000012
【図１１】
2014040031.tif 000013
【図１２】
2014040031.tif 000014